(57)【要約】【課題】タッチ位置のずれや、タッチ力のばらつきによる誤校正を精度良く除外できる「電子機器及びタッチパネルのキャリブレーション方法」を提供する。【解決手段】格子状に設けた１６の校正ポイントを、x座標が同じもの同士で４つのX方向ライングループLX1-LX4にグループ分けし、各校正ポイントに対するタッチを受け入れ、X方向ライングループに含まれる４つの校正ポイントのタッチに対するタッチパネル出力のx電圧の最大値と最小値の差分が所定のしきい値より大きいX方向ライングループをミスライングループに設定する。Y方向についても同様に処理し、ミスライングループが発生した場合にはキャリブレーション失敗とし、発生しなかった場合には各校正ポイントのタッチに対するタッチパネル出力に基づいてキャリブレーションを実行する。【選択図】図２
2011197860.tif 000002
【特許請求の範囲】
【請求項１】
ディスプレイと、当該ディスプレイの表示面上に配置されたタッチパネルとを備えた電子機器であって、
前記タッチパネルは、当該タッチパネルのタッチ位置に応じて、x方向のタッチ位置に応じた値をとるx出力値と、y方向のタッチ位置に応じた値を取るy出力値とよりなる出力値を出力し、
当該電子機器は、
前記タッチパネルが出力する出力値を、所定の変換規則に従ってx座標とy座標とに変換する座標変換部と、
キャリブレーション処理部とを備え、
前記キャリブレーション処理部は、
タッチパネル上に設定した複数の校正ポイントへのタッチを受け付け、各タッチに対してタッチパネルが出力した出力値を、当該タッチを受け付けた校正ポイントの校正用データとして取得する校正用データ取得手段と、
x方向位置が同じ校正ポイントの校正用データに含まれるx出力値の最大値と最小値の差が所定のレベルを超えている場合と、y方向位置が同じ校正ポイントの校正用データに含まれるy出力値の最大値と最小値の差が所定のレベルを超えている場合とに、ミスを検出するミス検出手段と
前記ミス検出手段が、前記ミスを検出した場合に、キャリブレーションの失敗の通知を出力するキャリブレーション失敗通知手段と、
前記ミス検出手段が、前記ミスを検出しなかった場合に、前記変換規則を、前記各校正ポイントの座標と校正用データとに基づいて修正するキャリブレーション実行手段とを有し、
前記複数の校正ポイントの各々は、当該校正ポイントとタッチパネル上のx方向の位置が同じ他の校正ポイントが存在し、かつ、当該校正ポイントとタッチパネル上のy方向の位置が同じ他の校正ポイントが存在するように、タッチパネル上の位置が設定されていることを特徴とする電子機器。
【請求項２】
請求項１記載の電子機器であって、
前記校正用データ取得手段は、前記ディスプレイの表示面上の、前記タッチパネル上の前記各校正ポイントに対応する位置にマークを表示して、各校正ポイントへのタッチを受け付けることを特徴とする電子機器。
【請求項３】
タッチパネルのキャリブレーションを行うキャリブレーション装置において、タッチ位置に応じて、x方向のタッチ位置に応じた値をとるx出力値と、y方向のタッチ位置に応じた値を取るy出力値とよりなる出力値を出力するタッチパネルのキャリブレーション方法であって、
前記キャリブレーション装置が、タッチパネル上に設定した複数の校正ポイントへのタッチを受け付け、各タッチに対してタッチパネルが出力した出力値を、当該タッチを受け付けた校正ポイントの校正用データとして取得する校正用データ取得ステップと、
前記キャリブレーション装置が、x方向位置が同じ校正ポイントの校正用データに含まれるx出力値の最大値と最小値の差が所定のレベルを超えている場合と、y方向位置が同じ校正ポイントの校正用データに含まれるy出力値の最大値と最小値の差が所定のレベルを超えている場合とに、ミスを検出するミス検出ステップと、
前記キャリブレーション装置が、前記ミス検出ステップにおいて、ミスを検出した場合に、キャリブレーションの失敗の通知を出力するキャリブレーション失敗通知ステップと、
前記キャリブレーション装置が、前記ミス検出ステップにおいて、前記ミスを検出しなかった場合に、前記タッチパネルが出力する出力値を、x座標とy座標とに変換するための変換規則を、前記各校正ポイントの座標と校正用データとに基づいて修正するキャリブレーション実行ステップとを有し、
前記複数の校正ポイントの各々は、当該校正ポイントとタッチパネル上のx方向の位置が同じ他の校正ポイントが存在し、かつ、当該校正ポイントとタッチパネル上のy方向の位置が同じ他の校正ポイントが存在するように、タッチパネル上の位置が設定されていることを特徴とするタッチパネルのキャリブレーション方法。
【請求項４】
請求項３記載のタッチパネルのキャリブレーション方法であって、
前記校正用データ取得ステップにおいて、前記ディスプレイの表示面上の、前記タッチパネル上の前記各校正ポイントに対応する位置にマークを表示して、各校正ポイントへのタッチを受け付けることを特徴とするタッチパネルのキャリブレーション方法。
【発明の詳細な説明】
【技術分野】
【０００１】
本発明は、タッチパネルのキャリブレーションの技術に関するものである。
【背景技術】
【０００２】
タッチパネルのキャリブレーションの技術としては、タッチパネル上の所定位置へのタッチを受け入れて、当該タッチに対するタッチパネルの出力と、タッチを受け入れた所定位置の座標との関係よりタッチパネルの出力と当該出力が表す座標との対応関係を校正する技術が知られている。また、このようなキャリブレーションをタッチパネル上の所定位置へのタッチをユーザが容易に行えるようにするために、タッチパネル下に表示面を配置した表示装置によって、当該所定位置に対応する表示面上の位置にマークを表示する技術も知られている（たとえば、特許文献１、２）。
【０００３】
また、タッチパネルのキャリブレーションを行った際に、キャリブレーションによるタッチパネルの出力と当該出力が表す座標との対応関係の変更幅が、あまりにも大きい場合には、当該キャリブレーションを無効とする技術も知られている（たとえば、特許文献３）。
【先行技術文献】
【特許文献】
【０００４】
【特許文献１】特開平０９-０４４３０７号公報
【特許文献２】特開平１０-１１６１１５号公報
【特許文献３】特開２００６-２４３９３９号公報
【発明の概要】
【発明が解決しようとする課題】
【０００５】
タッチパネルのキャリブレーションを、タッチパネル上の所定位置へのタッチを受け入れて行う場合、当該所定位置とタッチ位置のずれや、タッチ力（押し下げ力）のばらつきがあると、タッチパネルの出力と当該出力が表す座標との対応関係を、正しく校正することができない。
【０００６】
一方で、上述したように特許文献３の、キャリブレーションによるタッチパネルの出力と当該出力が表す座標との対応関係の変更幅があまりにも大きい場合に、当該キャリブレーションを無効とする技術によれば、対応関係の変更幅に対するタッチ位置のずれやタッチ力のばらつきの影響を弁別できないために、タッチ位置のずれや、タッチ力のばらつきによる誤校正を精度良く除外することはできない。
【０００７】
そこで、本発明は、タッチパネルのキャリブレーションにおいて、タッチ位置のずれや、タッチ力のばらつきによる誤校正を精度良く除外することを課題とする。
【課題を解決するための手段】
【０００８】
前記課題達成のために、本発明は、ディスプレイと、当該ディスプレイの表示面上に配置されたタッチパネルとを備えた電子機器であって、前記タッチパネルが、当該タッチパネルのタッチ位置に応じて、x方向のタッチ位置に応じた値をとるx出力値と、y方向のタッチ位置に応じた値を取るy出力値とよりなる出力値を出力する電子機器に、前記タッチパネルが出力する出力値を、所定の変換規則に従ってx座標とy座標とに変換する座標変換部と、キャリブレーション処理部とを備え、当該キャリブレーション処理部を、タッチパネル上に設定した複数の校正ポイントへのタッチを受け付け、各タッチに対してタッチパネルが出力した出力値を、当該タッチを受け付けた校正ポイントの校正用データとして取得する校正用データ取得手段と、x方向位置が同じ校正ポイントの校正用データに含まれるx出力値の最大値と最小値の差が所定のレベルを超えている場合と、y方向位置が同じ校正ポイントの校正用データに含まれるy出力値の最大値と最小値の差が所定のレベルを超えている場合とに、ミスを検出するミス検出手段と、前記ミス検出手段が、前記ミスを検出した場合に、キャリブレーションの失敗の通知を出力するキャリブレーション失敗通知手段と、前記ミス検出手段が、前記ミスを検出しなかった場合に、前記変換規則を、前記各校正ポイントの座標と校正用データとに基づいて修正するキャリブレーション実行手段とを設けたものである。但し、前記複数の校正ポイントの各々は、当該校正ポイントとタッチパネル上のx方向の位置が同じ他の校正ポイントが存在し、かつ、当該校正ポイントとタッチパネル上のy方向の位置が同じ他の校正ポイントが存在するように、タッチパネル上の位置が設定されている。
【０００９】
ここで、このような電子機器は、前記校正用データ取得手段において、前記ディスプレイの表示面上の、前記タッチパネル上の前記各校正ポイントに対応する位置にマークを表示して、各校正ポイントへのタッチを受け付けるように構成してもよい。
ここで、x/y方向位置が同じ校正ポイントの校正用データに含まれるx/y出力値に所定のレベルを超える差がある場合、当該差は、タッチ位置のずれや、タッチ力のばらつきによって発生したものと考えられるので、このような電子機器によれば、タッチ位置のずれや、タッチ力のばらつきによる誤校正を精度良く除外することができるようになる。
【発明の効果】
【００１０】
以上のように、本発明によれば、タッチパネルのキャリブレーションにおいて、タッチ位置のずれや、タッチ力のばらつきによる誤校正を精度良く除外することができる。
【図面の簡単な説明】
【００１１】
【図１】本発明の実施形態に係る電子機器の構成を示すブロック図である。
【図２】本発明の実施形態に係るタッチパネルのキャリブレーション動作を示す図である。
【図３】発明の実施形態に係るタッチパネルキャリブレーション処理の手順を示すフローチャートである。
【発明を実施するための形態】
【００１２】
以下、本発明の実施形態について説明する。
図１に、本実施形態に係る電子機器の構成を示す。
図示するように、本実施形態に係る電子機器は、タッチパネル１、タッチパネルコントローラ２、ディスプレイ３、ディスプレイ３の表示を制御するディスプレイコントローラ４、ＣＰＵ５、メモリ６、記憶装置７、その他の周辺装置８等を備えている。
ここで、タッチパネル１は、タッチされた位置のx座標に応じた値をとるx電圧とタッチされた位置のy座標に応じた値をとるy電圧とをタッチパネル出力として出力する抵抗膜式のタッチパネル１であり、タッチパネル１はディスプレイ３の表示面上に重ねて配置されている。
【００１３】
タッチパネルコントローラ２はタッチパネル１を制御する装置であり、タッチパネル１に上述したタッチパネル出力（x電圧、y電圧）を生成するための電力を供給すると共に、備えているタッチパネル出力-座標対応テーブルに従って、タッチパネル出力（x電圧、y電圧）を座標（x座標、y座標）に変換して、位置入力として出力する。ここで、タッチパネル出力-座標対応テーブルは、タッチパネル出力（x電圧、y電圧）と座標（x座標、y座標）との対応関係、すなわち、タッチパネル出力（x電圧、y電圧）から座標（x座標、y座標）への変換規則を定義したテーブルである。
【００１４】
そして、ＣＰＵ５は、メモリ６や周辺装置８を用いつつ、記憶装置７に記憶されているプログラムを実行し、プログラムに記述された各種処理を行う。ここで、このＣＰＵ５が行う処理には、ディスプレイコントローラ４を介したディスプレイ３の表示や、タッチパネルコントローラ２が出力する位置入力に応じた各種処理が含まれる。
【００１５】
以下、このような電子機器の構成において行うタッチパネル１のキャリブレーションについて説明する。
まず、本実施形態におけるタッチパネル１のキャリブレーションにおいて用いる校正エリアと校正ポイントとX/Y方向ライングループについて説明する。
本実施形態では、図２ａに示すようなタッチパネル１の、（0,0）、（xmax,ymax)の二点を対角線の両端とする長方形のタッチ入力領域を、図２ｂに示すように、A1からA9の９つの四角形の校正エリアに等分割する。
また、図２ｂの各校正エリアの頂点に対応する１６カ所の位置を参照ポイントとして設定する。そして、設定した参照ポイントうちのタッチパネル１のタッチ入力領域の周縁に位置する参照ポイントをタッチ入力領域の内側にずらす。すなわち、x座標が0の参照ポイントをx座標がx1（0＜x1＜xmax/6）となるようにx方向に等しくずらし、x座標がxmaxの参照ポイントをx座標がx4（5xmax/6＜x4＜xmax）となるように-x方向に等しくずらし、y座標が0の参照ポイントをy座標がy1（0＜y1＜ymax/6）となるようにy方向に等しくずらし、y座標がymaxの参照ポイントをy座標がy4（5ymax/6＜y４＜ymax）となるように-y方向に等しくずらす。ここで、このようにタッチ入力領域の周縁に位置する参照ポイントをタッチ入力領域の内側にずらすのは、局所的に、タッチ入力領域の周縁部分では、タッチ位置に応じた正確なタッチパネル出力が得られないからである。
【００１６】
そして、各参照ポイントに、図２ｂに示すように校正ポイントp01-p16を設定する。
また、このようにして設定した１６の校正ポイントを、図２ｃに示すように、x座標が同じ校正ポイントのグループである４つのX方向ライングループLX1-LX4にグループ分けする。また、このようにして設定した１６の校正ポイントを、図２ｃに示すように、y座標が同じ校正ポイントのグループである４つのY方向ライングループLY1-LY4にグループ分けする。
【００１７】
以上、タッチパネル１のキャリブレーションにおいて用いる校正エリアと校正ポイントとX/Y方向ライングループについて説明した。
以下、本実施形態におけるタッチパネル１のキャリブレーションの動作について説明する。
電子機器のＣＰＵ５は、オペレータからの所定のキャリブレーション開始の指示に応じて、記憶装置７に記憶されたキャリブレーション用のプログラムに従って図３に示すタッチパネルキャリブレーション処理を行う。
図示するように、このタッチパネルキャリブレーション処理では、まず、ディスプレイコントローラ４を介して、タッチパネル１の各校正ポイントについて、当該校正ポイントpnに対応するディスプレイ３の表示面上の位置（タッチパネル１とディスプレイ３の配置関係が正規の配置関係である場合に校正ポイントに重なる位置）に、所定のマークMnを表示し、各マークに対するオペレータのタッチを受け入れ、各タッチに対してタッチパネル１が出力するタッチパネル出力（x電圧、y電圧）Vnを取得し、取得したタッチパネル出力Vnを、当該校正ポイントpn（オペレータがタッチの対象としたマークに対応する校正ポイント）の校正用データとして保持する（ステップ３０２）。
【００１８】
ここで、このステップ３０２では、たとえば、図２ｄに示すように、各校正ポイントp01-p16の各々に対応する位置に十字マークを表示し、オペレータに各十字マークに、図中に点線の矢印で示す所定の順番（p01、p02、p03、p04、p05...、p16の順番）でタッチしてもらい、タッチパネル１が出力するｎ番目のタッチパネル出力を、前記所定の順番上でｎ番目の十字マークに対応する位置の校正ポイントの校正用データとして保持する。
【００１９】
または、このステップ３０２は、上述した十字マークを一つずつ表示して、オペレータに十字マークにタッチしてもらい、タッチパネル１が出力するタッチパネル出力を、表示した十字マークに対応する位置の校正ポイントの校正用データとして保存する処理としてもよい。すなわち、この場合には、一つの校正ポイントについて、当該校正ポイントに対応する十字マークを表示し、オペレータに各十字マークにタッチしてもらい、タッチパネル１が出力するタッチパネル出力を、当該校正ポイントの校正用データとして保存する処理を、全ての校正ポイントについて順次行うようにする。
【００２０】
さて、このようにして、各校正ポイントの校正用データを保持したならば（ステップ３０２）、４つのX方向ライングループのうちに、当該X方向ライングループに含まれる４つの校正ポイントの４つの校正用データが表すタッチパネル出力のx電圧の範囲の大きさ、すなわち、４つの校正用データが表すタッチパネル出力のx電圧の最大値と最小値の差分が所定のしきい値より大きいX方向ライングループが存在するかどうかを判定し（ステップ３０４）、存在する場合には存在したX方向ライングループをミスライングループに設定する（ステップ３０６）。
【００２１】
すなわち、たとえば、X方向ライングループLX2に含まれる４つの校正ポイントp05-p08の校正用データが表すタッチパネル出力のx電圧が、ｖ５、ｖ６、ｖ７、ｖ８であり、ｖ１、ｖ２、ｖ３、ｖ４のうちの最大値がｖ６、最小値がｖ８である場合に、ｖ６とｖ８の差が、しきい値より大きい場合に、X方向ライングループLX2はミスライングループに設定する。
【００２２】
また、同様に、４つのY方向ライングループのうちに、当該Y方向ライングループに含まれる４つの校正ポイントの４つの校正用データが表すタッチパネル出力のy電圧の範囲の大きさ、すなわち、４つの校正用データが表すタッチパネル出力のy電圧の最大値と最小値の差分が所定のしきい値より大きいY方向ライングループが存在するかどうかを判定し（ステップ３０８）、存在する場合には存在したY方向ライングループをミスライングループに設定する（ステップ３１０）。
【００２３】
すなわち、たとえば、Y方向ライングループLY3に含まれる４つの校正ポイントp02、p07、p11、p15、の校正用データが表すタッチパネル出力のy電圧が、ｖ２、ｖ７、ｖ１１、ｖ１５であり、ｖ２、ｖ７、ｖ１１、ｖ１５のうちの最大値がｖ７、最小値がｖ１５である場合に、ｖ７とｖ１５の差が、しきい値より大きい場合に、Y方向ライングループLY3はミスライングループに設定する。
【００２４】
そして、ミスライングループが発生したかどうかを調べ（ステップ３１２）、発生していなければ、保持した各校正ポイントの校正用データを用いて、タッチパネル出力（x電圧、y電圧）と座標（x座標、y座標）との対応関係を定義するタッチパネル出力-座標対応テーブルを修正する（ステップ３１４）。
【００２５】
ここで、このタッチパネル出力-座標対応テーブルの修正は、校正エリアＡ１からＡ９の各々について以下のように行う。
すなわち、校正エリアの中心を内包する最小の四角形の頂点となる４つの校正ポイントの座標と、当該４つの校正ポイントの校正用データとの対応関係に整合するように、座標とタッチパネル出力との対応関係（タッチパネル出力からの座標算出式）を求め、タッチパネル出力-座標対応テーブルに定義されている、校正エリア内の座標とタッチパネル出力との対応関係を、求めた対応関係に修正する。
【００２６】
４つの校正ポイントの座標と、当該４つの校正ポイントの校正用データとの対応関係との求め方としては、前掲した特許文献１や特許文献２等に示される周知の手法を用いることができる。すなわち、たとえば、タッチパネル１の出力特性が、タッチパネル出力のx電圧とx座標、タッチパネル出力のy電圧とy座標との対応関係がK１、K２を係数としてx座標=K１×x電圧、y座標=K２×y電圧で示される比例関係にあるものである場合には、校正用データが表す最大ｘ電圧と最小ｘ電圧との差を、４つの校正ポイント最大のｘ座標と最小のｘ座標の差で割った値を、ｘ方向校正係数として、校正エリア内のｘ座標とタッチパネル出力のｘ電圧との対応関係とし、タッチパネル出力-座標対応テーブルを用いた、タッチパネル出力のｘ電圧からｘ座標への変換は、タッチパネル出力のｘ電圧からｘ方向校正係数を乗じることにより行う。また、同様に、校正用データが表す最大ｙ電圧と最小ｙ電圧との差を、４つの校正ポイント最大のｙ座標と最小のｙ座標の差で割った値をｙ方向校正係数として、校正エリア内のｙ座標とタッチパネル出力のｙ電圧との対応関係とし、タッチパネル出力のｙ電圧からｙ座標へのタッチパネル出力-座標対応テーブルを用いた変換は、タッチパネル出力のｙ電圧からｙ方向校正係数を乗じることにより行う。
【００２７】
または、より一般的に示せば、fx(）をｘ電圧のｘ座標への変換関数、fy(z）をｙ電圧のｙ座標への変換関数として、Dx=fx（校正用データが表すタッチパネル出力のx電圧）-（校正用データに対応する校正ポイントのx座標）、Dy=fy（校正用データが表すタッチパネル出力のy電圧）-（校正用データに対応する校正ポイントのy座標）として、当該４つの校正用データについて求めたDxの総和が最小となる関数fx(）と、当該４つの校正用データについて求めたDyの総和が最小となる関数fy(）として、当該４つの校正ポイントの校正用データとの対応関係は求めることができる。
そして、図２ｅに示すようにキャリブレーション成功を伝えるメッセージを、OKボタンと共に、ディスプレイコントローラ４を介してディスプレイ３に表示し（ステップ３１６）、OKボタンの操作によってオペレータからの終了指示があったならば（ステップ３１８）、処理を終了する。
【００２８】
一方、ステップ３１２において、ミスライングループが発生していると判定された場合には、図２ｆに示すようにキャリブレーション失敗と、キャリブレーションの再実施を勧奨するメッセージを、中止ボタン、OKボタンと共に、ディスプレイコントローラ４を介してディスプレイ３に表示する（ステップ３２０）。
【００２９】
ここで、上記のようにミスライングループを設定し、ミスライングループが発生した場合にキャリブレーション失敗とするのは、同じX方向ライングループに含まれるx座標の等しい４つの校正ポイントに対応するマークに対する正しいタッチによって出力されるタッチパネル出力のx電圧や、同じY方向ライングループに含まれるx座標の等しい４つの校正ポイントに対応するマークに対する正しいタッチによって出力されるタッチパネル出力のy電圧は、およそ等しいことが期待できるので、これらに所定レベル以上の差がある場合、当該差は、タッチ位置のずれや、タッチ力のばらつきによって発生したものと考えられるからである。
【００３０】
そして、中止ボタンの操作によってオペレータからの終了指示があったならば（ステップ３２２）、処理を終了する。
一方、OKボタンの操作によってオペレータからのキャリブレーションの再実施の指示があったならば（ステップ３２４）、ディスプレイコントローラ４を介して、タッチパネル１のミスライングループに設定されているライングループに含まれる校正ポイントについてのみ、当該校正ポイントＰｎに対応するディスプレイ３の表示面上の位置に、所定のマークMnを表示し、各マークに対するオペレータのタッチを受け入れ、各タッチに対してタッチパネル１が出力するタッチパネル出力（x電圧、y電圧）Vnを取得し、取得したタッチパネル出力Vnを当該校正ポイントＰｎ（オペレータがタッチの対象としたマークに対応する校正ポイント）の校正用データを生成し、生成した校正用データで、保持されている校正ポイントＰｎの校正用データを更新する（ステップ３２６）。そして、ステップ３０４からの処理に戻る。
【００３１】
すなわち、ステップ３２６では、たとえば、図２ｃのX方向ライングループLX２がミスライングループに設定されているときには、図２ｇに示すように、X方向ライングループLX２に含まれる校正ポイントp05-p08の４つの校正ポイントに対応するディスプレイ３の表示面上の４つの位置に、４つの十字のマークを表示し、各マークに対するオペレータのタッチに対してタッチパネル１が出力するタッチパネル出力より、p05-p08の４つの校正ポイントの校正用データを生成し、生成した校正用データで、保持されている校正ポイントp05-p08の校正用データを更新する。
【００３２】
ただし、当該ステップ３２６においても、p05-p08の４つの校正ポイントに対応する十字マークを一つずつ表示しながら、オペレータに十字マークにタッチしてもらい、タッチパネル１が出力するタッチパネル出力より各校正ポイントの校正用データを生成するようにしてもよい。
【００３３】
以上、本発明の実施形態について説明した。
なお、以上の実施形態においては各校正ポイントに対応する十字のマークを表示し、当該マークを目印として校正ポイントへのタッチを受け入れるようにしたが、電子機器の出荷時校正などにおいて、自動機械によって、マークの表示を用いない他の適当な位置検出機構によって自動的に校正ポイントの位置を検出して当該校正ポイントへのタッチを行って、当該出荷時校正を行うような場合には、当該マークの表示はこれを行わないようにしてもよい。
【００３４】
また、以上の実施形態では、タッチパネル１として抵抗膜式のタッチパネル１を用いる場合について説明したが、本実施形態に係るタッチパネル１のキャリブレーションの技術は、静電容量方式や電磁誘導方式や超音波表面弾性波方式などの任意の方式のタッチパネル１のキャリブレーションに同様に適用することができる。すなわち、この場合には、ステップ３０４、３０６において、当該X方向ライングループの４つの校正ポイントの校正用データが表すタッチパネル出力のx座標に変換される値の範囲の大きさが所定のしきい値より大きいX方向ライングループをミスライングループに設定し、ステップ３０８、３１０において、当該Y方向ライングループの４つの校正ポイントの校正用データが表すタッチパネル出力のy座標に変換される値の範囲の大きさが所定のしきい値より大きいY方向ライングループをミスライングループに設定し、ステップ３１４のタッチパネル出力-座標対応テーブルの修正をタッチパネル１の方式に応じて行うようにする。
【符号の説明】
【００３５】
１…タッチパネル、２…タッチパネルコントローラ、３…ディスプレイ、４…ディスプレイコントローラ、５…ＣＰＵ、６…メモリ、７…記憶装置、８…周辺装置。
【図１】
2011197860.tif 000003
【図２】
2011197860.tif 000004
【図３】
2011197860.tif 000005